(57)【要約】【課題】より静音化に配慮された記録装置を提供する。【解決手段】記録装置は、第１ローラーと、前記第１ローラーに接する位置と前記第１ローラーから離間する位置との間を変位可能に設けられた、前記第１ローラーの回転軸線方向に沿って複数配置される第２ローラーと、搬送される媒体のサイズに応じ、複数の前記第２ローラーのうち、媒体の領域外にある前記第２ローラーを前記第１ローラーから離間させるローラー位置切り換え手段とを備える。【選択図】図１
2014189403.tif 000002
【特許請求の範囲】
【請求項１】
第１ローラーと、
前記第１ローラー側に付勢された位置と前記第１ローラーから離間する位置との間を変位可能に設けられた、前記第１ローラーの回転軸線方向に沿って複数配置される第２ローラーと、
複数の前記第２ローラーのうち、媒体の領域外にある前記第２ローラーを前記第１ローラーから離間させるローラー位置切り換え手段と、
を備えた記録装置。
【請求項２】
請求項１に記載の記録装置において、前記ローラー位置切り換え手段は、搬送される媒体の幅に応じて複数の前記第２ローラーのうち、媒体の領域外にある前記第２ローラーを前記第１ローラーから離間させる、
ことを特徴とする記録装置。
【請求項３】
請求項１または２に記載の記録装置において、前記ローラー位置切り換え手段は、媒体の領域に掛かる前記第２ローラーを、複数ページに記録を行う際に先行ページの媒体の後端が前記第１ローラーと前記第２ローラーとの間から外れた後、次ページの媒体の先端が前記第１ローラーと前記第２ローラーとの間に到達するまでの間の少なくとも所定期間、前記第１ローラーから離間させる、
ことを特徴とする記録装置。
【請求項４】
請求項１から３のいずれか一項に記載の記録装置において、前記第１ローラーの回転軸線方向に沿って複数設けられとともに、揺動することにより前記第２ローラーを前記第１ローラー側に付勢する姿勢と前記第２ローラーを前記第１ローラーから離間させる姿勢とを切り換える、少なくとも一つの前記従動ローラーを備える支持部材を備え、
前記ローラー位置切り換え手段は、複数の前記支持部材に対して個別に設けられ、前記支持部材の揺動中心から離れた位置において前記支持部材と係合する、回転可能なカム部材と、
前記カム部材を回転させるカム駆動源と、を備え、
前記カム駆動源が前記カム部材を回転させることにより、前記支持部材が姿勢切り換えを行う、
ことを特徴とする記録装置。
【請求項５】
請求項４に記載の記録装置において、前記カム駆動源により回転駆動される一の回転軸に、複数の前記カム部材が設けられ、
複数の前記カム部材は、形状及び前記一の回転軸に対する取付形態のうち少なくともいずれかが異なり、
前記一の回転軸の一回転の範囲において、前記支持部材が複数種類の媒体のサイズに応じた姿勢をとる、
ことを特徴とする記録装置。
【請求項６】
請求項１から５のいずれか一項に記載の記録装置において、前記ローラー位置切り換え手段は、全ての前記第２ローラーを、少なくとも非記録時に前記第１ローラーから離間させる、
ことを特徴とする記録装置。
【請求項７】
請求項１から６のいずれか一項に記載の記録装置において、前記第１ローラーは、金属軸の外周面に粒子が付着されて成る、
ことを特徴とする記録装置。
【発明の詳細な説明】
【技術分野】
【０００１】
本発明は、ファクシミリやプリンター等に代表される記録装置に関する。
【背景技術】
【０００２】
ファクシミリやプリンター等に代表される記録装置においては、媒体の一例としての記録用紙を給送する用紙給送部から給送された記録用紙を記録ヘッドの下へと精密送りする用紙搬送手段が、駆動源により回転駆動される駆動ローラーと、当該駆動ローラーとの間で記録用紙を押圧して従動回転する従動ローラーとにより構成される場合がある。
【０００３】
駆動ローラーの多くは、軸体（例えば、金属軸）の外周面に高摩擦層を備えて構成され、この高摩擦層は、耐摩耗性粒子と、当該耐摩耗性粒子を軸体の外周面に接着保持する塗膜材とによって形成されている（例えば、特許文献１参照）。
【０００４】
また、搬送経路途中で紙ジャム（紙詰まり）が起きた際、記録用紙が駆動ローラーと従動ローラーとに挟み込まれた状態にあると記録用紙を除去する際の作業性が低下する。このため、用紙除去の作業性を考慮し、従動ローラーを駆動ローラーからレリース（離間）させる構成が従来から採用されている（例えば、特許文献２参照）。
【０００５】
更に、被記録対象がディスク状媒体の場合、従動ローラーがディスク状媒体に接することによってローラー痕が生じる場合がある。このため特許文献３に記載の記録装置は、複数設けられた従動ローラーの個々の位置を駆動ローラーに対して接離方向に変位させる構成を備えている。
【先行技術文献】
【特許文献】
【０００６】
【特許文献１】特開２０１２−１２１６４８号公報
【特許文献２】特開２００５−１１２４９０号公報
【特許文献３】特開２０１２−１１６２０３号公報
【発明の概要】
【発明が解決しようとする課題】
【０００７】
上記特許文献１記載の記録装置は紙ジャム処理作業の便宜を考慮したものであり、上記特許文献２記載の記録装置はディスク状媒体の搬送を考慮したものであって、なおも以下の様な課題を残していた。
【０００８】
即ち、普通紙などの記録用紙に記録を行う際、複数の従動ローラーは用紙に接して従動回転するものと用紙領域から外れて駆動ローラーと直接に接して従動回転するものがある。しかしながら後者の従動ローラーは、外周面に高摩擦層を有する駆動ローラー、即ち外周面が無数の微小な凹凸を有する駆動ローラーに接することから、回転に際して振動が発生し、その結果耳障りな騒音が発生する場合がある。
【０００９】
特に、用紙サイズが小さい場合には駆動ローラーに接する従動ローラーの数、或いは接触領域は増えるので、上記の騒音の程度はより顕著となる。そして近年のインクジェットプリンターは、より一層の静音化が求められており、上記の様な騒音の発生が効果的に抑えることが望まれる。
【００１０】
そこで本発明はこの様な状況に鑑みなされたものであり、その目的は、より静音化に配慮された記録装置を提供することにある。
【課題を解決するための手段】
【００１１】
上記課題を解決する為の、本発明の第１の態様に係る記録装置は、第１ローラーと、前記第１ローラー側に付勢された位置と前記第１ローラーから離間する位置との間を変位可能に設けられた、前記第１ローラーの回転軸線方向に沿って複数配置される第２ローラーと、複数の前記第２ローラーのうち、媒体の領域外にある前記第２ローラーを前記第１ローラーから離間させるローラー位置切り換え手段とを備えたことを特徴とする。
【００１２】
本態様によれば、複数の前記第２ローラーのうち、媒体の領域外にある前記第２ローラーを前記第１ローラーから離間させるローラー位置切り換え手段を備えているので、前記第２ローラーが前記第１ローラーと接することに伴う騒音の発生を抑え、より静音化された記録装置を得ることができる。
【００１３】
加えて、媒体の領域外にある前記第２ローラーが前記第１ローラーから離間することにより、前記第２ローラー及び前記第１ローラーの摩耗を防止し、装置の耐久性を向上させることも可能となる。
【００１４】
本発明の第２の態様は、第１の態様において、前記ローラー位置切り換え手段は、搬送される媒体の幅に応じて複数の前記第２ローラーのうち、媒体の領域外にある前記第２ローラーを前記第１ローラーから離間させることを特徴とする。
【００１５】
本態様によれば、前記ローラー位置切り換え手段は、搬送される媒体の幅に応じて複数の前記第２ローラーのうち、媒体の領域外にある前記第２ローラーを前記第１ローラーから離間させるので、前記第２ローラーが前記第１ローラーと接することに伴う騒音の発生を効果的に抑えることができる。
【００１６】
本発明の第３の態様は、第１のまたは第２の態様において、前記ローラー位置切り換え手段は、媒体の領域に掛かる前記第２ローラーを、複数ページに記録を行う際に先行ページの媒体の後端が前記第１ローラーと前記第２ローラーとの間から外れた後、次ページの媒体の先端が前記第１ローラーと前記第２ローラーとの間に到達するまでの間の少なくとも所定期間、前記第１ローラーから離間させることを特徴とする。
【００１７】
本態様によれば、前記ローラー位置切り換え手段は、媒体の領域に掛かる前記第２ローラーについても、記録実行中において媒体の搬送に寄与しない間は、少なくとも所定期間前記第１ローラーから離間させるので、前記第２ローラーが前記第１ローラーと接することに伴う騒音の発生をより確実に防止することができる。
【００１８】
本発明の第４の態様は、第１から第３の態様のいずれかにおいて、前記第１ローラーの回転軸線方向に沿って複数設けられとともに、揺動することにより前記第２ローラーを前記第１ローラー側に付勢する姿勢と前記第２ローラーを前記第１ローラーから離間させる姿勢とを切り換える、少なくとも一つの前記従動ローラーを備える支持部材を備え、前記ローラー位置切り換え手段は、複数の前記支持部材に対して個別に設けられ、前記支持部材の揺動中心から離れた位置において前記支持部材と係合する、回転可能なカム部材と、前記カム部材を回転させるカム駆動源と、を備え、前記カム駆動源が前記カム部材を回転させることにより、前記支持部材が姿勢切り換えを行うことを特徴とする。
【００１９】
本態様によれば、カムの回転により前記第２ローラーが変位する構成であるので、前記ローラー位置切り換え手段を、構造簡単にして低コストに構成できる。
【００２０】
本発明の第５の態様は、第４の態様において、前記カム駆動源により回転駆動される一の回転軸に、複数の前記カム部材が設けられ、複数の前記カム部材は、形状及び前記一の回転軸に対する取付形態のうち少なくともいずれかが異なり、前記一の回転軸の一回転の範囲において、前記支持部材が複数種類の媒体のサイズに応じた姿勢をとることを特徴とする。
【００２１】
本態様によれば、一の回転軸を回転させることで、複数の前記支持部材のそれぞれが、複数種類の媒体のサイズに応じた姿勢をとるので、前記支持部材を複数種類の媒体のサイズに応じた姿勢とする為の構成を、簡易にして低コストに得ることができる。
【００２２】
本発明の第６の態様は、第１から第５の態様のいずれかにおいて、前記ローラー位置切り換え手段は、全ての前記第２ローラーを、少なくとも非記録時に前記第１ローラーから離間させることを特徴とする。
【００２３】
本態様によれば、前記ローラー位置切り換え手段は、全ての前記第２ローラーを、少なくとも非記録時に前記第１ローラーから離間させるので、前記第２ローラーが前記第１ローラーと接することに伴う騒音の発生を更に確実に防止することができる。
【００２４】
本発明の第７の態様は、第１から第６の態様のいずれかにおいて、前記第１ローラーは、金属軸の外周面に粒子が付着されて成ることを特徴とする。  
本態様によれば、前記第１ローラーは、金属軸の外周面に粒子が付着されて成る為、当該第１ローラーに前記第２ローラーが接することで上述した騒音が発生し易いが、上記第１から第５の態様の作用により、上記騒音の発生を抑えることができる。
【図面の簡単な説明】
【００２５】
【図１】本発明に係るプリンターの内部の構成を示す断面図である。
【図２】ローラー、支持部材、および軸支部の上面図である。
【図３】支持部材およびカムの斜視図である。
【図４】支持部材およびカムの側面図である。
【図５】支持部材およびカムの斜視図である。
【図６】支持部材およびカムの側面図である。
【図７】支持部材およびカムの斜視図である。
【図８】支持部材およびカムの側面図である。
【図９】支持部材およびカムの斜視図である。
【図１０】支持部材およびカムの側面図である。
【発明を実施するための形態】
【００２６】
以下、本発明の実施の形態を図面に基づいて説明する。図１は、本発明の実施の形態のプリンター１１の内部の構成を示す断面図である。
【００２７】
なお、プリンター１１に対して前後の方向をＹ軸で図示し、上下の方向をＺ軸で図示し、左右の方向をＸ軸で図示する。また、以下、Ｘ軸方向のうち、図１中の手前側を単に右側と称し、Ｘ軸方向のうち、図１中の奥側を単に左側と称する。さらに、以下、Ｙ軸方向のうち、図１中の左側を単に前側と称し、Ｙ軸方向のうち、図１中の右側を単に後側と称する。さらにまた、以下、Ｚ軸方向のうち、図１中の上側を単に上側と称し、Ｚ軸方向のうち、図１中の下側を単に下側と称する。
【００２８】
すなわち、図１は、Ｚ軸とＹ軸とで規定される平面に平行の面における、プリンター１１の内部の断面を示す断面図である。本実施形態においてプリンター１１は、媒体の一例としての用紙に記録する記録装置の一例であるインクジェットプリンターである。プリンター１１は、ローラー３１、ローラー３２、記録ヘッド３３、用紙支持部３４、およびローラー３５を備える。
【００２９】
プリンター１１の各構成部分は、プリンター１１の骨組みとなる構造体であるベースフレーム４１に支えられる。ローラー３１は、金属によって、円筒状に形成されている。すなわち、ローラー３１は、中空軸である。ローラー３１が中空軸であるので、ローラー３１を軽量化でき、即ちプリンター１１全体を軽量化することができる。ローラー３１の外周面のうち、搬送する用紙に接する外周面には、耐摩耗性粒子と、当該耐摩耗性粒子をローラー３１の外周面に接着保持する塗膜材とによって形成されている高摩擦層９１（図３）が形成されている。すなわち、ローラー３１は、金属軸の外周面に粒子が付着されて成る。ローラー３１は、前向き（用紙搬送経路下流側方向：以下同様）に用紙を搬送する場合、モーター５２によって、Ｘ軸方向の軸線を中心に図１中の反時計まわり方向に回転させられる。
【００３０】
ローラー３２は、ＰＯＭ（ポリオキシメチレン（ｐｏｌｙｏｘｙｍｅｔｈｙｌｅｎｅ））などの熱可塑性樹脂で形成されている。すなわち、ローラー３２は、樹脂材料により形成されている。プリンター１１には、複数のローラー３２が、ローラー３１の回転軸線方向に沿って設けられている。ローラー３２は、ローラー３１の上側に配置され、ローラー３１に接する位置とローラー３１から離間する位置との間を変位可能に設けられている。ローラー３２は、記録される用紙がローラー３２の下側を通る場合、ローラー３１に接する位置に変位させられ、上から下にローラー３１に押し付けられる。ローラー３２は、ローラー３２の下側から記録される用紙が外れた場合、または非記録時（詳細は後述）に、ローラー３１から離間する位置に変位させられる。
【００３１】
ローラー３２は、ローラー３１に接する位置に変位させられて、前向きに用紙を搬送する場合、ローラー３１によって、Ｙ軸方向の軸線を中心に図１中の時計まわり方向に回転させられる。この場合、ローラー３１およびローラー３２は、用紙を挟み、前向きに用紙を送る。
【００３２】
ローラー３１およびローラー３２によって挟まれた用紙は、図１中の矢印ＣＡで示される搬送経路中を前向きに送られる。この搬送経路の上側には、記録ヘッド３３が設けられ、その下側には、用紙支持部３４が設けられている。すなわち、ローラー３１およびローラー３２によって挟まれた用紙は、記録ヘッド３３と用紙支持部３４との間の搬送経路中を前向きに送られる。記録ヘッド３３は、用紙支持部３４に支持された用紙にインクを吐出することで、用紙に記録を行う。用紙支持部３４は、記録ヘッド３３に対向する位置に設けられており、用紙と記録ヘッド３３との間の距離を所定の長さに保つ。
【００３３】
ローラー３５は、ゴムなどの弾性材料で形成されている。ローラー３５は、用紙が記録ヘッド３３によって記録されている場合、モーター５２によって、Ｙ軸方向の軸線を中心に図１中の反時計まわり方向に回転させられる。ローラー３５は、記録ヘッド３３によって記録された用紙を前向きに送り、プリンター１１から排出する。
【００３４】
ローラー３２は、支持部材３６の前側の端部に回転可能に軸支されている。図２を参照して後述するように、プリンター１１には、支持部材３６が、ローラー３１の回転軸線方向に沿って複数設けられている。支持部材３６は、揺動することによりローラー３２をローラー３１側に付勢する姿勢（ローラー３２をローラー３１に押し付ける姿勢）とローラー３２をローラー３１から離間させる姿勢とを切り換える。支持部材３６には、少なくとも一つのローラー３２が設けられている。
【００３５】
複数の支持部材３６のそれぞれの前後方向のほぼ中央には、支持部材３６を揺動可能に軸支する軸支部３７が設けられている。複数の支持部材３６のそれぞれには、少なくとも一つの軸支部３７が設けられている。支持部材３６の後側であって、軸支部３７が設けられている部分の後側には、コイルバネ５０の一端が止められている。コイルバネ５０の他端は、ベースフレーム４１に止められている。コイルバネ５０は、支持部材３６の後側に上向きの力を加える。尚、ベールフレーム４１においてコイルバネ５０を取り付ける部分は図１では図示を省略している。また、ベースフレーム４１は、支持部材３６も、揺動可能に支持している。
【００３６】
支持部材３６の後側の端部の上には、カム３８の外周が当たる当り面７１が設けらている。カム３８は、複数の支持部材３６に対して個別に設けられ、支持部材３６の揺動中心から離れた位置において支持部材３６と係合する。カム３８は、ベースフレーム４１に対して回転可能とされている。
【００３７】
より詳細には、カム３８は、いわゆる円板カムである。カム３８は、複数設けられている支持部材３６のそれぞれを揺動させるように、複数設けられている。カム３８は、回転軸３９を介して、モーター５２によって、Ｙ軸方向の軸線を中心に図１中の時計方向または反時計方向に回転させられる。カム３８は、回転角度によって、回転の中心から外周までの長さが異なる形状とされている。カム３８の外周は、回転角度によって、支持部材３６の後側の端部に設けられている当り面７１から離間するか、または当り面７１を押し下げる。複数のカム３８は、モーター５２により回転駆動される１つの回転軸３９に固定されて設けられている。回転軸３９は、ベースフレーム４１に回転可能に設けられている。
【００３８】
制御部５１は、専用若しくはプログラム可能なＩＣ（Ｉｎｔｅｇｒａｔｅｄ  Ｃｉｒｃｕｉｔ）または制御プログラムを実行するＭＰＵ（Ｍｉｃｒｏ  Ｐｒｏｃｅｓｓｉｎｇ  Ｕｎｉｔ）などを備え、プリンター１１の各部を制御する。制御部５１は、ローラー３１、ローラー３５、およびカム３８などを駆動するモーター５２の回転駆動を制御する。
【００３９】
モーター５２は、ローラー３１、ローラー３５、およびカム３８などを回転させる。詳細は後述するが、モーター５２がカム３８を回転させることにより、支持部材３６が姿勢切り換えを行う。なお、ローラー位置切り換え部６１は、カム３８、回転軸３９、およびモーター５２を備える。ローラー位置切り換え部６１は、搬送される用紙のサイズに応じ、複数のローラー３２のうち、用紙の領域外にあるローラー３２をローラー３１から離間させる。ここで、用紙のサイズとは、ＩＳＯ（ｔｈｅ  Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）２１６で規定されている国際標準であるＡ列に含まれるＡ３、Ａ４、若しくはＡ５、または第二種郵便物であるはがきなどの用紙の寸法をいう。
【００４０】
次に、図２を参照して、Ａ３、Ａ４、若しくはＡ５の用紙、またははがきに応じて設けられている、複数のローラー３２、複数の支持部材３６、および複数の軸支部３７について説明する。図２は、複数のローラー３２、複数の支持部材３６、および複数の軸支部３７の上面図である。
【００４１】
以下、複数の支持部材３６のそれぞれを、区別する必要がある場合、個々に、支持部材３６−１、支持部材３６−２−１、支持部材３６−２−２、支持部材３６−３−１、または支持部材３６−３−２と称する。また、以下、複数のローラー３２のそれぞれを、区別する必要がある場合、支持部材３６−１、支持部材３６−２−１、支持部材３６−２−２、支持部材３６−３−１、または支持部材３６−３−２のそれぞれに設けられているローラー３２毎に、ローラー３２−１、ローラー３２−２−１、ローラー３２−２−２、ローラー３２−３−１、またはローラー３２−３−２と称する。さらに、以下、複数の軸支部３７のそれぞれを、区別する必要がある場合、個々に、軸支部３７−１、軸支部３７−２−１、軸支部３７−２−２、軸支部３７−３−１、または軸支部３７−３−２と称する。
【００４２】
２つの支持部材３６−１、支持部材３６−２−１、支持部材３６−２−２、支持部材３６−３−１、および支持部材３６−３−２は、ローラー３１の回転軸線方向に沿って配置される。すなわち、支持部材３６−１、支持部材３６−２−１、支持部材３６−２−２、支持部材３６−３−１、および支持部材３６−３−２は、Ｘ軸方向に並べられて配置される。
【００４３】
用紙が搬送される搬送経路のＸ軸方向の中央を挟んで、２つの支持部材３６−１が配置されている。２つ配置された支持部材３６−１の幅、すなわち、Ｘ軸方向の長さは、はがきの幅、すなわち、はがきの短辺の長さである１００ｍｍより僅かに長くされている。支持部材３６−１の前側の端部には、２つのローラー３２−１が回転可能に軸支されている。支持部材３６−１は、ローラー３２−１が上下に変位できるように、軸支部３７−１によって揺動可能に軸支されている。
【００４４】
支持部材３６−１の左側には、支持部材３６−２−１が配置されている。支持部材３６−２−１の幅、すなわち、Ｘ軸方向の長さは、Ａ４の用紙の幅である２１０ｍｍからはがきの幅である１００ｍｍを差し引いた値の半分とほぼ同じ長さとされている。支持部材３６−２−１の前側の端部には、２つのローラー３２−２−１が回転可能に軸支されている。支持部材３６−２−１は、ローラー３２−２−１が上下に変位できるように、軸支部３７−２−１によって揺動可能に軸支されている。
【００４５】
支持部材３６−１の右側には、支持部材３６−２−２が配置されている。支持部材３６−２−２の幅、すなわち、Ｘ軸方向の長さは、支持部材３６−２−１の幅とほぼ同じ長さとされている。支持部材３６−２−２の前側の端部には、２つのローラー３２−２−２が回転可能に軸支されている。支持部材３６−２−２は、ローラー３２−２−２が上下に変位できるように、軸支部３７−２−２によって揺動可能に軸支されている。
【００４６】
支持部材３６−２−１の左側には、支持部材３６−３−１が配置されている。支持部材３６−３−１の幅、すなわち、Ｘ軸方向の長さは、支持部材３６−２−１の幅とほぼ同じ長さとされている。支持部材３６−３−１の前側の端部には、２つのローラー３２−３−１が回転可能に軸支されている。支持部材３６−３−１は、ローラー３２−３−１が上下に変位できるように、軸支部３７−３−１によって揺動可能に軸支されている。
【００４７】
支持部材３６−２−２の右側には、支持部材３６−３−２が配置されている。支持部材３６−３−２の幅、すなわち、Ｘ軸方向の長さは、支持部材３６−３−１の幅とほぼ同じ長さとされている。支持部材３６−３−２の前側の端部には、２つのローラー３２−３−２が回転可能に軸支されている。支持部材３６−３−２は、ローラー３２−３−２が上下に変位できるように、軸支部３７−３−２によって揺動可能に軸支されている。
【００４８】
はがきである用紙が搬送され、記録される場合、はがきである用紙は、支持部材３６−１の下側を搬送される。はがきである用紙が搬送され、記録される場合、支持部材３６−１は、ローラー３２−１をローラー３１側に付勢する姿勢にさせられ、支持部材３６−２−１は、ローラー３２−２−１をローラー３１から離間させる姿勢にさせられ、支持部材３６−２−２は、ローラー３２−２−２をローラー３１から離間させる姿勢にさせられ、支持部材３６−３−１は、ローラー３２−３−１をローラー３１から離間させる姿勢にさせられ、支持部材３６−３−２はローラー３２−３−２をローラー３１から離間させる姿勢にさせられる。
【００４９】
支持部材３６−１に設けられている４つのローラー３２−１のうち、支持部材３６−２−１側のローラー３２−１（左端のローラー３２−１）は、はがきである用紙が搬送され、記録される場合、はがきである用紙の端部のうち、搬送方向と交差する方向である幅方向の左側の端部と接する位置に配置されている。支持部材３６−１に設けられている４つのローラー３２−１のうち、支持部材３６−２−２側のローラー３２−１（右端のローラー３２−１）は、はがきである用紙が搬送され、記録される場合、はがきである用紙の端部のうち、搬送方向と交差する方向である幅方向の右側の端部と接する位置に配置されている。すなわち、支持部材３６−１に設けられている左端のローラー３２−１と右端のローラー３２−１とは、それぞれ、はがきである用紙の搬送方向と交差する方向である幅方向の両端部のそれぞれと接する位置に配置されている。
【００５０】
Ａ５の用紙が搬送され、記録される場合、Ａ５の用紙は、支持部材３６−１、支持部材３６−２−１、および支持部材３６−２−２の下側を搬送される。この場合、Ａ５の用紙の端部のうち、搬送方向と交差する方向である幅方向の左側の端部は、支持部材３６−２−１のＸ軸方向の中央のやや右側の下側を搬送され、Ａ５の用紙の端部のうち、搬送方向と交差する方向である幅方向の右側の端部は、支持部材３６−２−２のＸ軸方向の中央のやや左側の下側を搬送される。
【００５１】
Ａ５の用紙が搬送され、記録される場合、支持部材３６−１は、ローラー３２−１をローラー３１側に付勢する姿勢にさせられ、支持部材３６−２−１は、ローラー３２−２−１をローラー３１側に付勢する姿勢にさせられ、支持部材３６−２−２は、ローラー３２−２−２をローラー３１側に付勢する姿勢にさせられ、支持部材３６−３−１は、ローラー３２−３−１をローラー３１から離間させる姿勢にさせられ、支持部材３６−３−２はローラー３２−３−２をローラー３１から離間させる姿勢にさせられる。
【００５２】
支持部材３６−２−１に設けられているローラー３２−２−１のうち、支持部材３６−１側のローラー３２−２−１（右側のローラー３２−２−１）は、Ａ５の用紙が搬送され、記録される場合、Ａ５の用紙の端部のうち、搬送方向と交差する方向である幅方向の左側の端部と接する位置に配置されている。また、支持部材３６−２−２に設けられているローラー３２−２−２のうち、支持部材３６−１側のローラー３２−２−２（左側のローラー３２−２−２）は、Ａ５の用紙が搬送され、記録される場合、Ａ５の用紙の端部のうち、搬送方向と交差する方向である幅方向の右側の端部と接する位置に配置されている。
【００５３】
すなわち、支持部材３６−２−１に設けられている右側のローラー３２−２−１と支持部材３６−２−２に設けられている左側のローラー３２−２−２とは、それぞれ、Ａ５の用紙の搬送方向と交差する方向である幅方向の両端部のそれぞれと接する位置に配置されている。
【００５４】
Ａ４の用紙が搬送され、記録される場合、Ａ４の用紙は、支持部材３６−１、支持部材３６−２−１、および支持部材３６−２−２の下側を搬送される。Ａ４の用紙である用紙が搬送され、記録される場合、支持部材３６−１は、ローラー３２−１をローラー３１側に付勢する姿勢にさせられ、支持部材３６−２−１は、ローラー３２−２−１をローラー３１側に付勢する姿勢にさせられ、支持部材３６−２−２は、ローラー３２−２−２をローラー３１側に付勢する姿勢にさせられ、支持部材３６−３−１は、ローラー３２−３−１をローラー３１から離間させる姿勢にさせられ、支持部材３６−３−２はローラー３２−３−２をローラー３１から離間させる姿勢にさせられる。
【００５５】
支持部材３６−２−１に設けられているローラー３２−２−１のうち、支持部材３６−３−１側のローラー３２−２−１（左側のローラー３２−２−１）は、Ａ４の用紙が搬送され、記録される場合、Ａ４の用紙の端部のうち、搬送方向と交差する方向である幅方向の左側の端部と接する位置に配置されている。また、支持部材３６−２−２に設けられているローラー３２−２−２のうち、支持部材３６−３−２側のローラー３２−２−２（右側のローラー３２−２−２）は、Ａ４の用紙が搬送され、記録される場合、Ａ４の用紙の端部のうち、搬送方向と交差する方向である幅方向の右側の端部と接する位置に配置されている。
【００５６】
すなわち、支持部材３６−２−１に設けられている左側のローラー３２−２−１と支持部材３６−２−２に設けられている右側のローラー３２−２−２とは、それぞれ、Ａ４の用紙の搬送方向と交差する方向である幅方向の両端部のそれぞれと接する位置に配置されている。
【００５７】
Ａ３の用紙が搬送され、記録される場合、Ａ３の用紙は、支持部材３６−１、支持部材３６−２−１、支持部材３６−２−２、支持部材３６−３−１、および支持部材３６−３−２の下側を搬送される。Ａ３の用紙である用紙が搬送され、記録される場合、支持部材３６−１は、ローラー３２−１をローラー３１側に付勢する姿勢にさせられ、支持部材３６−２−１は、ローラー３２−２−１をローラー３１側に付勢する姿勢にさせられ、支持部材３６−２−２は、ローラー３２−２−２をローラー３１側に付勢する姿勢にさせられ、支持部材３６−３−１は、ローラー３２−３−１をローラー３１側に付勢する姿勢にさせられ、支持部材３６−３−２はローラー３２−３−２をローラー３１側に付勢する姿勢にさせられる。
【００５８】
支持部材３６−３−１に設けられているローラー３２−３−１のうち、左側のローラー３２−３−１は、Ａ３の用紙が搬送され、記録される場合、Ａ３の用紙の端部のうち、搬送方向と交差する方向である幅方向の左側の端部と接する位置に配置されている。また、支持部材３６−３−２に設けられているローラー３２−３−２のうち、右側のローラー３２−３−２は、Ａ３の用紙が搬送され、記録される場合、Ａ３の用紙の端部のうち、搬送方向と交差する方向である幅方向の右側の端部と接する位置に配置されている。
【００５９】
すなわち、支持部材３６−３−１に設けられている左側のローラー３２−３−１と支持部材３６−３−２に設けられている右側のローラー３２−３−２とは、それぞれ、Ａ３の用紙の搬送方向と交差する方向である幅方向の両端部のそれぞれと接する位置に配置されている。
【００６０】
このように、搬送される用紙のサイズに応じ、複数のローラー３２のうち、用紙の領域外にあるローラー３２はローラー３１から離間させられる。  
また、複数のローラー３２は、複数種類のサイズの用紙の全てについて、搬送方向と交差する方向である幅方向の両端部と接する位置に配置されている。
【００６１】
次に、各サイズの用紙が搬送され、記録される場合および非記録時について、図３乃至図１０を参照して、より詳細に説明する。以下、複数設けられているカム３８のそれぞれを、区別する必要がある場合、個々に、カム３８−１、カム３８−２−１、カム３８−２−２、カム３８−３−１、またはカム３８−３−２と称する。また、以下、支持部材３６−１、支持部材３６−２−１、および支持部材３６−３−１のそれぞれに設けられている当り面７１のそれぞれを、区別する必要がある場合、個々に、当り面７１−１、当り面７１−２−１、または当り面７１−３−１と称する。
【００６２】
図３、図５、図７、および図９は、それぞれ、支持部材３６−１、支持部材３６−２−１、支持部材３６−２−２、支持部材３６−３−１、および支持部材３６−３−２並びにカム３８−１、カム３８−２−１、カム３８−２−２、カム３８−３−１、またはカム３８−３−２の斜視図である。図４、図６、図８、および図１０は、それぞれ、支持部材３６−１、支持部材３６−２−１、および支持部材３６−３−１並びにカム３８−１、カム３８−２−１、およびカム３８−３−１の側面図である。
【００６３】
図３および図４は、Ａ３の用紙が搬送され、記録される場合の状態を示す図である。図５および図６は、Ａ４またはＡ５の用紙が搬送され、記録される場合の状態を示す図である。図７および図８は、はがきである用紙が搬送され、記録される場合の状態を示す図である。図９および図１０は、複数ページに記録を行う際に先行ページの用紙の後端がローラー３１とローラー３２との間から外れた後、次ページの用紙の先端がローラー３１とローラー３２との間に到達するまでの間の状態、または非記録時の状態を示す図である。
【００６４】
まず、Ａ３の用紙が搬送され、記録される場合の、支持部材３６−１、支持部材３６−２−１、支持部材３６−２−２、支持部材３６−３−１、および支持部材３６−３−２並びにカム３８−１、カム３８−２−１、カム３８−２−２、カム３８−３−１、またはカム３８−３−２について、図３および図４を参照して説明する。制御部５１は、Ａ３の用紙が搬送され、記録される場合、モーター５２を制御して、回転軸３９を回転駆動させる。すると、図３に示されるように、回転軸３９に設けられているカム３８−１、カム３８−２−１、カム３８−２−２、カム３８−３−１、およびカム３８−３−２の角度位置は、Ａ３の用紙が搬送され、記録される場合の所定の角度位置にされる。
【００６５】
図４（Ａ）に示されるように、カム３８−３−１の外周は、支持部材３６−３−１に設けられている当り面７１−３−１から離間する。この場合、支持部材３６−３−１の後側であって、軸支部３７−３−１が設けられている部分の後側がコイルバネ５０によって引き上げられるので、支持部材３６−３−１の前側の端部には、下向きの力が加えられる。支持部材３６−３−１は、軸支部３７−３−１を中心軸として、図４（Ａ）中時計方向に揺動させられる。支持部材３６−３−１の前側の端部が下側に移動するので、ローラー３２−３−１は、ローラー３１に押し付けられる。
【００６６】
この場合、支持部材３６−３−２は、支持部材３６−３−１と同様に動作させられ、ローラー３２−３−２は、ローラー３１に押し付けられる。
【００６７】
図４（Ｂ）に示されるように、カム３８−２−１の外周は、支持部材３６−２−１に設けられている当り面７１−２−１から離間する。この場合、支持部材３６−２−１の後側であって、軸支部３７−２−１が設けられている部分の後側がコイルバネ５０によって引き上げられるので、支持部材３６−２−１の前側の端部には、下向きの力が加えられる。支持部材３６−２−１は、軸支部３７−２−１を中心軸として、図４（Ｂ）中時計方向に揺動させられる。支持部材３６−２−１の前側の端部が下側に移動するので、ローラー３２−２−１は、ローラー３１に押し付けられる。
【００６８】
この場合、支持部材３６−２−２は、支持部材３６−２−１と同様に動作させられ、ローラー３２−２−２は、ローラー３１に押し付けられる。
【００６９】
図４（Ｃ）に示されるように、カム３８−１の外周は、支持部材３６−１に設けられている当り面７１−１から離間する。この場合、支持部材３６−１の後側であって、軸支部３７−１が設けられている部分の後側がコイルバネ５０によって引き上げられるので、支持部材３６−１の前側の端部には、下向きの力が加えられる。支持部材３６−１は、軸支部３７−１を中心軸として、図４（Ｃ）中時計方向に揺動させられる。支持部材３６−１の前側の端部が下側に移動するので、ローラー３２−１は、ローラー３１に押し付けられる。
【００７０】
このように、Ａ３の用紙が搬送され、記録される場合、支持部材３６−１の姿勢は、ローラー３２−１をローラー３１側に付勢する姿勢に切り換えられ、支持部材３６−２−１の姿勢は、ローラー３２−２−１をローラー３１側に付勢する姿勢に切り換えられ、支持部材３６−２−２の姿勢は、ローラー３２−２−２をローラー３１側に付勢する姿勢に切り換えられ、支持部材３６−３−１の姿勢は、ローラー３２−３−１をローラー３１側に付勢する姿勢に切り換えられ、支持部材３６−３−２の姿勢は、ローラー３２−３−２をローラー３１側に付勢する姿勢に切り換えられる。
【００７１】
次に、Ａ４またはＡ５の用紙が搬送され、記録される場合の、支持部材３６−１、支持部材３６−２−１、支持部材３６−２−２、支持部材３６−３−１、および支持部材３６−３−２並びにカム３８−１、カム３８−２−１、カム３８−２−２、カム３８−３−１、またはカム３８−３−２について、図５および図６を参照して説明する。
【００７２】
制御部５１は、Ａ４またはＡ５の用紙が搬送され、記録される場合、モーター５２を制御して、回転軸３９を回転駆動させる。すると、図５に示されるように、回転軸３９に設けられているカム３８−１、カム３８−２−１、カム３８−２−２、カム３８−３−１、およびカム３８−３−２の角度位置は、Ａ４またはＡ５の用紙が搬送され、記録される場合の所定の角度位置にされる。図６に示されるように、Ａ４またはＡ５の用紙が搬送され、記録される場合におけるカム３８−１、カム３８−２−１、カム３８−２−２、カム３８−３−１、およびカム３８−３−２の角度位置は、図４に示される、Ａ３の用紙が搬送され、記録される場合における角度位置から、反時計方向に９０度回動した角度位置である。
【００７３】
図６（Ａ）に示されるように、カム３８−３−１の外周は、支持部材３６−３−１に設けられている当り面７１−３−１を押し下げる。その結果、支持部材３６−３−１は、軸支部３７−３−１を中心軸として、図６（Ａ）中反時計方向に揺動させられる。支持部材３６−３−１の前側の端部が上側に移動するので、ローラー３２−３−１は、ローラー３１から離間させられる。
【００７４】
この場合、支持部材３６−３−２は、支持部材３６−３−１と同様に動作させられ、ローラー３２−３−２は、ローラー３１から離間させられる。
【００７５】
図６（Ｂ）に示されるように、カム３８−２−１の外周は、支持部材３６−２−１に設けられている当り面７１−２−１から離間する。この場合、支持部材３６−２−１の後側であって、軸支部３７−２−１が設けられている部分の後側がコイルバネ５０によって引き上げられるので、支持部材３６−２−１の前側の端部には、下向きの力が加えられる。支持部材３６−２−１は、軸支部３７−２−１を中心軸として、図６（Ｂ）中時計方向に揺動する。支持部材３６−２−１の前側の端部が下側に移動するので、ローラー３２−２−１は、ローラー３１に押し付けられる。
【００７６】
この場合、支持部材３６−２−２は、支持部材３６−２−１と同様に動作させられ、ローラー３２−２−２は、ローラー３１に押し付けられる。
【００７７】
図６（Ｃ）に示されるように、カム３８−１の外周は、支持部材３６−１に設けられている当り面７１−１から離間する。この場合、支持部材３６−１の後側であって、軸支部３７−１が設けられている部分の後側がコイルバネ５０によって引き上げられるので、支持部材３６−１の前側の端部には、下向きの力が加えられる。支持部材３６−１は、軸支部３７−１を中心軸として、図６（Ｃ）中時計方向に揺動する。支持部材３６−１の前側の端部が下側に移動するので、ローラー３２−１は、ローラー３１に押し付けられる。
【００７８】
このように、Ａ４またはＡ５の用紙が搬送され、記録される場合、支持部材３６−１の姿勢は、ローラー３２−１をローラー３１側に付勢する姿勢に切り換えられ、支持部材３６−２−１の姿勢は、ローラー３２−２−１をローラー３１側に付勢する姿勢に切り換えられ、支持部材３６−２−２の姿勢は、ローラー３２−２−２をローラー３１側に付勢する姿勢に切り換えられ、支持部材３６−３−１の姿勢は、ローラー３２−３−１をローラー３１から離間させる姿勢に切り換えられ、支持部材３６−３−２の姿勢は、ローラー３２−３−２をローラー３１から離間させる姿勢に切り換えられる。
【００７９】
次に、はがきである用紙が搬送され、記録される場合の、支持部材３６−１、支持部材３６−２−１、支持部材３６−２−２、支持部材３６−３−１、および支持部材３６−３−２並びにカム３８−１、カム３８−２−１、カム３８−２−２、カム３８−３−１、またはカム３８−３−２について、図７および図８を参照して説明する。制御部５１は、はがきである用紙が搬送され、記録される場合、モーター５２を制御して、回転軸３９を回転駆動させる。
【００８０】
すると、図７に示されるように、回転軸３９に設けられているカム３８−１、カム３８−２−１、カム３８−２−２、カム３８−３−１、およびカム３８−３−２の角度位置は、はがきである用紙が搬送され、記録される場合の所定の角度位置にされる。図８に示されるように、はがきである用紙が搬送され、記録される場合におけるカム３８−１、カム３８−２−１、カム３８−２−２、カム３８−３−１、およびカム３８−３−２の角度位置は、図６に示される、Ａ４またはＡ５の用紙が搬送され、記録される場合における角度位置から、反時計方向に９０度回動した角度位置である。
【００８１】
図８（Ａ）に示されるように、カム３８−３−１の外周は、支持部材３６−３−１に設けられている当り面７１−３−１を押し下げる。その結果、支持部材３６−３−１は、軸支部３７−３−１を中心軸として、図８（Ａ）中反時計方向に揺動させられる。支持部材３６−３−１の前側の端部が上側に移動するので、ローラー３２−３−１は、ローラー３１から離間させられる。
【００８２】
この場合、支持部材３６−３−２は、支持部材３６−３−１と同様に動作させられ、ローラー３２−３−２は、ローラー３１から離間させられる。
【００８３】
図８（Ｂ）に示されるように、カム３８−２−１の外周は、支持部材３６−２−１に設けられている当り面７１−２−１を押し下げる。その結果、支持部材３６−２−１は、軸支部３７−２−１を中心軸として、図８（Ｂ）中反時計方向に揺動させられる。支持部材３６−２−１の前側の端部が上側に移動するので、ローラー３２−２−１は、ローラー３１から離間させられる。
【００８４】
この場合、支持部材３６−２−２は、支持部材３６−２−１と同様に動作させられ、ローラー３２−２−２は、ローラー３１から離間させられる。
【００８５】
図８（Ｃ）に示されるように、カム３８−１の外周は、支持部材３６−１に設けられている当り面７１−１から離間する。この場合、支持部材３６−１の後側であって、軸支部３７−１が設けられている部分の後側がコイルバネ５０によって引き上げられるので、支持部材３６−１の前側の端部には、下向きの力が加えられる。支持部材３６−１は、軸支部３７−１を中心軸として、図８（Ｃ）中時計方向に揺動する。支持部材３６−１の前側の端部が下側に移動するので、ローラー３２−１は、ローラー３１に押し付けられる。
【００８６】
このように、はがきである用紙が搬送され、記録される場合、支持部材３６−１の姿勢は、ローラー３２−１をローラー３１側に付勢する姿勢に切り換えられ、支持部材３６−２−１の姿勢は、ローラー３２−２−１をローラー３１から離間させる姿勢に切り換えられ、支持部材３６−２−２の姿勢は、ローラー３２−２−２をローラー３１から離間させる姿勢に切り換えられ、支持部材３６−３−１の姿勢は、ローラー３２−３−１をローラー３１から離間させる姿勢に切り換えられ、支持部材３６−３−２の姿勢は、ローラー３２−３−２をローラー３１から離間させる姿勢に切り換えられる。
【００８７】
次に、複数ページに記録を行う際に先行ページの用紙の後端がローラー３１とローラー３２との間から外れた後、次ページの用紙の先端がローラー３１とローラー３２との間に到達するまでの間、または非記録時における、支持部材３６−１、支持部材３６−２−１、支持部材３６−２−２、支持部材３６−３−１、および支持部材３６−３−２並びにカム３８−１、カム３８−２−１、カム３８−２−２、カム３８−３−１、またはカム３８−３−２について、図９および図１０を参照して説明する。
【００８８】
制御部５１は、複数ページに記録を行う際に先行ページの用紙の後端がローラー３１とローラー３２との間から外れた後、次ページの用紙の先端がローラー３１とローラー３２との間に到達するまでの間、または非記録時において、モーター５２を制御して、回転軸３９を回転駆動させる。すると、図９に示されるように、回転軸３９に設けられているカム３８−１、カム３８−２−１、カム３８−２−２、カム３８−３−１、およびカム３８−３−２の角度位置は、複数ページに記録を行う際に先行ページの用紙の後端がローラー３１とローラー３２との間から外れた後、次ページの用紙の先端がローラー３１とローラー３２との間に到達するまでの間、または非記録時の所定の角度位置にされる。
【００８９】
図１０に示されるように、複数ページに記録を行う際に先行ページの用紙の後端がローラー３１とローラー３２との間から外れた後、次ページの用紙の先端がローラー３１とローラー３２との間に到達するまでの間、または非記録時におけるカム３８−１、カム３８−２−１、カム３８−２−２、カム３８−３−１、およびカム３８−３−２の角度位置は、図８に示される、はがきである用紙が搬送され、記録される場合における角度位置から、反時計方向に９０度回動した角度位置である。
【００９０】
図１０（Ａ）に示されるように、カム３８−３−１の外周は、支持部材３６−３−１に設けられている当り面７１−３−１を押し下げる。その結果、支持部材３６−３−１は、軸支部３７−３−１を中心軸として、図１０（Ａ）中反時計方向に揺動させられる。支持部材３６−３−１の前側の端部が上側に移動するので、ローラー３２−３−１は、ローラー３１から離間させられる。
【００９１】
この場合、支持部材３６−３−２は、支持部材３６−３−１と同様に動作させられ、ローラー３２−３−２は、ローラー３１から離間させられる。
【００９２】
図１０（Ｂ）に示されるように、カム３８−２−１の外周は、支持部材３６−２−１に設けられている当り面７１−２−１を押し下げる。その結果、支持部材３６−２−１は、軸支部３７−２−１を中心軸として、図１０（Ｂ）中反時計方向に揺動させられる。支持部材３６−２−１の前側の端部が上側に移動するので、ローラー３２−２−１は、ローラー３１から離間させられる。
【００９３】
この場合、支持部材３６−２−２は、支持部材３６−２−１と同様に動作させられ、ローラー３２−２−２は、ローラー３１から離間させられる。
【００９４】
図１０（Ｃ）に示されるように、カム３８−１の外周は、支持部材３６−１に設けられている当り面７１−１を押し下げる。その結果、支持部材３６−１は、軸支部３７−１を中心軸として、図１０（Ｃ）中反時計方向に揺動させられる。支持部材３６−１の前側の端部が上側に移動するので、ローラー３２−１は、ローラー３１から離間させられる。
【００９５】
このように、複数ページに記録を行う際に先行ページの用紙の後端がローラー３１とローラー３２との間から外れた後、次ページの用紙の先端がローラー３１とローラー３２との間に到達するまでの間、または非記録時において、支持部材３６−１の姿勢は、ローラー３２−１をローラー３１から離間させる姿勢に切り換えられ、支持部材３６−２−１の姿勢は、ローラー３２−２−１をローラー３１から離間させる姿勢に切り換えられ、支持部材３６−２−２の姿勢は、ローラー３２−２−２をローラー３１から離間させる姿勢に切り換えられ、支持部材３６−３−１の姿勢は、ローラー３２−３−１をローラー３１から離間させる姿勢に切り換えられ、支持部材３６−３−２の姿勢は、ローラー３２−３−２をローラー３１から離間させる姿勢に切り換えられる。
【００９６】
また、カム３８−１、カム３８−２−１、カム３８−２−２、カム３８−３−１、およびカム３８−３−２は、形状及び回転軸３９に対する取付形態のうち少なくともいずれかが異なり、回転軸３９の一回転の範囲において、支持部材３６−１、支持部材３６−２−１、支持部材３６−２−２、支持部材３６−３−１、または支持部材３６−３−２が複数種類の用紙のサイズに応じた姿勢をとる。
【００９７】
ローラー位置切り換え部６１は、搬送される用紙のサイズに応じ、複数のローラー３２のうち、用紙の領域外にあるローラー３２をローラー３１から離間させる。
【００９８】
ローラー位置切り換え部６１は、用紙の領域に掛かるローラー３２を、複数ページに記録を行う際に先行ページの用紙の後端がローラー３１とローラー３２との間から外れた後、次ページの用紙の先端がローラー３１とローラー３２との間に到達するまでの間の少なくとも所定期間、ローラー３１から離間させる。また、ローラー位置切り換え部６１は、全てのローラー３２を、少なくとも非記録時にローラー３１から離間させる。
【００９９】
なお、プリンター１１を例に説明したが、これに限らず、ファクシミリ装置、コピー機、または複合機などの記録装置に適用することができる。
【０１００】
以上のように、記録装置の一例であるプリンター１１は、第１ローラーの一例であるローラー３１と、第１ローラーに接する位置と第１ローラーから離間する位置との間を変位可能に設けられた、第１ローラーの回転軸線方向に沿って複数配置される第２ローラーの一例である、ローラー３２と、搬送される媒体のサイズに応じ、複数の第２ローラーのうち、媒体の領域外にある第２ローラーを第１ローラーから離間させるローラー位置切り換え手段の一例であるローラー位置切り換え部６１とを備える。用紙は、媒体の一例である。Ａ３、Ａ４、若しくはＡ５またははがきのサイズは、媒体のサイズの一例である。
【０１０１】
プリンター１１には、用紙のサイズに応じ、複数のローラー３２のうち、用紙の領域外にあるローラー３２をローラー３１から離間させるローラー位置切り換え部６１を設けたので、ローラー３２がローラー３１と接することに伴う騒音の発生を抑え、より静音化されたプリンター１１とすることができる。
【０１０２】
加えて、用紙の領域外にあるローラー３２がローラー３１から離間することにより、ローラー３２及びローラー３１の摩耗を防止し、装置の耐久性を向上させることも可能となる。
【０１０３】
第１ローラーの回転軸線方向に沿って複数設けられとともに、揺動することにより第２ローラーを第１ローラーに接触させる姿勢と第２ローラーを第１ローラーから離間させる姿勢とを切り換える、少なくとも一つの従動ローラーを備える支持部材の一例である支持部材３６を設け、ローラー位置切り換え手段の一例であるローラー位置切り換え部６１には、複数の支持部材に対して個別に設けられ、支持部材の揺動中心から離れた位置において支持部材と係合する、回転可能なカム部材の一例であるカム３８と、カム部材を回転させるカム駆動源の一例であるモーター５２と、を設け、カム駆動源の一例であるモーター５２がカム部材の一例であるカム３８を回転させることにより、支持部材の一例である支持部材３６が姿勢切り換えを行うようにすることができる。
【０１０４】
カム３８の回転によりローラー３２がローラー３１に対し接触及び離間する構成であるので、ローラー位置切り換え部６１を、構造簡単にして低コストに構成できる。
【０１０５】
カム駆動源により回転駆動される一の回転軸の一例である回転軸３９に、複数のカム部材の一例であるカム３８を設け、複数のカム部材の一例であるカム３８が、形状及び一の回転軸に対する取付形態のうち少なくともいずれかが異なり、一の回転軸の一例である回転軸３９の一回転の範囲において、支持部材の一例である支持部材３６が複数種類の媒体の一例である用紙のサイズに応じた姿勢をとらせることができる。
【０１０６】
この場合、一の回転軸３９を回転させることで、複数の支持部材３６のそれぞれが、複数種類の用紙のサイズに応じた姿勢をとるので、支持部材３６を複数種類の用紙のサイズに応じた姿勢とする為の構成を、簡易にして低コストに得ることができる。
【０１０７】
また、ローラー位置切り換え手段の一例であるローラー位置切り換え部６１は、媒体の領域に掛かる第２ローラーの一例であるローラー３２を、複数ページに記録を行う際に先行ページの媒体の後端が第１ローラーの一例であるローラー３１と第２ローラーの一例であるローラー３２との間から外れた後、次ページの媒体の先端が第１ローラーの一例であるローラー３１と第２ローラーの一例であるローラー３２との間に到達するまでの間の少なくとも所定期間、第１ローラーの一例であるローラー３１から離間させることができる。
【０１０８】
ローラー位置切り換え部６１が、用紙の領域に掛かるローラー３２についても、記録実行中において用紙の搬送に寄与しない間は、少なくとも所定期間ローラー３１から離間させるので、ローラー３２がローラー３１と接することに伴う騒音の発生をより確実に防止することができる。
【０１０９】
ローラー位置切り換え手段の一例であるローラー位置切り換え部６１には、全ての第２ローラーの一例であるローラー３２を、少なくとも非記録時に第１ローラーの一例であるローラー３１から離間させることができる。
【０１１０】
位置切り換え部６１が、全てのローラー３２を、少なくとも非記録時にローラー３１から離間させるので、ローラー３２がローラー３１と接することに伴う騒音の発生を更に確実に防止することができる。
【０１１１】
ここで、非記録時には、印刷ジョブの実行中以外、或いは、印刷ジョブの実行中であっても、少なくとも１ページ目の用紙先端がローラー３１とローラー３２との間に到達するまでの間や、最終ページの用紙後端がローラー３１とローラー３２との間を抜けた後のこれら時間帯が含まれる。
【０１１２】
次に本実施形態において、第１ローラーの一例であるローラー３１は、金属軸の外周面に粒子が付着されて成る為、ローラー３１にローラー３２が接することで上述した騒音が発生し易いが、上述の作用により、上記騒音の発生を抑えることができる。
【０１１３】
第２ローラーの一例であるローラー３２を、樹脂材料により形成することができる。ローラー３２が樹脂材料により形成されているので、ローラー３２の外周面を所定の硬度で且つ滑らかに形成することができる。これにより、用紙の斜行を矯正するスキュー取り動作を行うに際して、用紙先端がローラー３１とローラー３２との間に倣い易く、スキュー取りをより確実に行うことができる。
【０１１４】
複数の第２ローラーの一例であるローラー３２を、複数種類のサイズの媒体の全てについて、搬送方向と交差する方向である幅方向の両端部と接する位置に配置することができる。複数のローラー３２が、複数種類のサイズの用紙の全てについて、搬送方向と交差する方向である幅方向の両端部と接する位置に配置されているので、用紙のサイズに拘わらず、用紙の端部の浮き上がりを防止して良好な記録結果を得ることができる。
【０１１５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１１６】
１１  プリンター、３１、３２、３２−１、３２−２−１、３２−２−２、３２−３−１、および３２−３−２  ローラー、３３  記録ヘッド、３４  用紙支持部、３５  ローラー、３６、３６−１、３６−２−１、３６−２−２、３６−３−１、および３６−３−２  支持部材、３７、３７−１、３７−２−１、３７−２−２、３７−３−１、および３７−３−２  軸支部、３８、３８−１、３８−２−１、３８−２−２、３８−３−１、および３８−３−２  カム、３９  回転軸、４１  ベースフレーム、５０  コイルバネ、５１  制御部、５２  モーター、６１  ローラー位置切り換え部、７１、７１−１、７１−２−１、および７１−３−１  当り面、９１  高摩擦層
【図１】
2014189403.tif 000003
【図２】
2014189403.tif 000004
【図３】
2014189403.tif 000005
【図４】
2014189403.tif 000006
【図５】
2014189403.tif 000007
【図６】
2014189403.tif 000008
【図７】
2014189403.tif 000009
【図８】
2014189403.tif 000010
【図９】
2014189403.tif 000011
【図１０】
2014189403.tif 000012